(57)【要約】【課題】煩雑な手間を要することなく、極めて簡単にワンタッチで取り付けることが可能なホルダおよび取付装置を提供する。【解決手段】ホルダ１１０が、矩形をなす基底部１１１と、基底部１１１に形成され被ホルダ１２０の被係止部と係止する係止部１１２ａ，１１２ｂと、係止部１１２ａ，１１２ｂが被ホルダ１２０の被係止部と係止状態にあるときに、被ホルダ１２０の側面と少なくとも一部が所定間隔をもって対向し、弾性力に抗する力を受けると被ホルダ１２０の側面側に移動可能な弾性片を含む２つの第１側片１１３ａ，１１３ｂと、係止部１１２ａ，１１２ｂが被ホルダ１２０の被係止部と係止状態にあるときに、被ホルダ１２０の残存部（露出部）を有す側面部の残存部を除く領域に位置し、かつ、厚さが残存部の高さまたはそれ以上に設定された第２側片１１４ａ，１１４ｂを有する。【選択図】      図１
2006002391.tif 000002
【特許請求の範囲】
【請求項１】
矩形をなす基底部と、
上記基底部の互いに対向する側部から延設されて当該基底部と共に被ホルダの収容領域を形成する少なくとも２つの側片と、
上記被ホルダと係止する係止部と、を有し、
上記少なくとも２つの側片は、弾性力を有し、当該弾性力に抗する力を受けて上記収容領域側に移動可能な弾性片を含み、
上記係止部は、上記被ホルダとの係止領域が、上記側片の外側の領域を除く領域に位置するように形成されている
ホルダ。
【請求項２】
上記係止部は、上記基底部に形成されている
請求項１記載のホルダ。
【請求項３】
上記弾性片を含む２つの第１側片が形成された側部と異なる側部から延設されて上記基底部と共に被ホルダの収容領域を形成する少なくとも一つの側片をさらに有する
請求項１または２記載のホルダ。
【請求項４】
上記少なくとも一つの側片は、上記被ホルダの外側の残存部を回避可能な回避部が形成され、厚さが当該残存部の高さ以上に設定されている
請求項３記載のホルダ。
【請求項５】
上記弾性片は、上記少なくとも２つの側片の先端部に形成されている
請求項１〜４のいずれかに記載のホルダ。
【請求項６】
側面部および底面部と、当該側面部および底面部のいずれかに被係止部が形成された被ホルダと、
上記被ホルダを保持するホルダと、を有し、
上記ホルダは、
上記被ホルダの被係止部と係止する係止部と、
上記係止部が上記被ホルダの被係止部と係止状態にあるときに、上記被ホルダの側面と少なくとも一部が所定間隔をもって対向し、弾性力に抗する力を受けると上記被ホルダの側面側に移動可能な弾性片を含む少なくとも２つの第１側片と、を有し、
上記ホルダの係止部および被ホルダの被係止部は、係止状態において、上記ホルダの側片の外側の領域を除く領域に位置するように形成されている
取付装置。
【請求項７】
上記ホルダは、上記被ホルダの収容時に、当該被ホルダの底面部と対面する基底部を有し、上記係止部は、上記基底部に形成され、
上記被ホルダの被係止部は、上記被ホルダの底面部に形成されている
請求項６記載の取付装置。
【請求項８】
上記被ホルダは、側面部において、外側に一部を所定の高さをもって残存させた残存部を有して内方に貫挿する軸により取り付けられた取り付け具を有し、
上記ホルダは、上記係止部が上記被ホルダの被係止部と係止状態にあるときに、上記被ホルダの残存部を有す側面部の少なくとも上記残存部を除く領域に位置し、かつ、厚さが当該残存部の高さ以上に設定された第２側片を有する
請求項６または７記載の取付装置。
【請求項９】
上記ホルダの第２側片は、上記被ホルダの外側の残存部を回避可能な回避部が形成されている
請求項８記載の取付装置。
【請求項１０】
当該取付装置が取り付けられる被取付部には、上記第１側片に弾性力に抗する力を加えたときの当該第１側片の厚さを含む上記ホルダの幅と同等の幅を有する取付孔が形成され、
上記被ホルダは、上記側面部における頂面側に当該側面部より外側方向に延びる鍔部が形成され、
上記ホルダの弾性片は、
少なくとも上記第１側片の先端部に、徐々に上記側面部より外側方向に向くようにテーパ状をなし、かつ上記ホルダの係止部と上記被ホルダの被係止部とが係止状態にあるときで当該弾性片に弾性力に抗する力を加えていないときに、当該先端部と上記鍔部とが上記被取付部の肉厚に相当する間隔をもって離間し、上記ホルダの係止部と上記被ホルダの被係止部とを係止状態として、上記被取付部に形成された取付孔に上記被ホルダの底面側から収容させるときに、上記弾性片に弾性力に抗する力を上記被取付部から印加させ、上記鍔部が上記被取付部に当接したときに、当該弾性力に抗する力が解放され、上記弾性片の先端部が上記被取付部の内壁または上記取付孔の周縁部に当接するように形成されている
請求項６または７記載の取付装置。
【請求項１１】
当該取付装置が取り付けられる被取付部には、上記第１側片に弾性力に抗する力を加えたときの当該第１側片の厚さを含む上記ホルダの幅と同等の第１幅と上記第２側片の厚さを含む上記ホルダの幅と同等の第２幅を有する取付孔が形成され、
上記被ホルダは、上記側面部における頂面側に当該側面部より外側方向に延びる鍔部が形成され、
上記ホルダの弾性片は、
少なくとも上記第１側片の先端部に、徐々に上記側面部より外側方向に向くようにテーパ状をなし、かつ上記ホルダの係止部と上記被ホルダの被係止部とが係止状態にあるときで当該弾性片に弾性力に抗する力を加えていないときに、当該先端部と上記鍔部とが上記被取付部の肉厚に相当する間隔をもって離間し、上記ホルダの係止部と上記被ホルダの被係止部とを係止状態として、上記被取付部に形成された取付孔に上記被ホルダの底面側から収容させるときに、上記弾性片に弾性力に抗する力を上記被取付部から印加させ、上記鍔部が上記被取付部に当接したときに、当該弾性力に抗する力が解放され、上記弾性片の先端部が上記被取付部の内壁または上記取付孔の周縁部に当接するように形成されている
請求項８または９記載の取付装置。
【発明の詳細な説明】
【技術分野】
【０００１】
本発明は、たとえば家具の扉やその他の扉に取り付け使用する止着具をワンタッチで保持可能で、止着具等の扉等へのワンタッチ取り付け具として機能するホルダおよび取付装置に関するものである。
【背景技術】
【０００２】
この種の技術として、扉へのマグネット取付構造が提案されている（たとえば特許文献１参照）。
【０００３】
図１０は、特許文献１に記載された扉へのマグネットの取付構造を示す図である。
図１０において、取付装置１は、被取付部としての扉２、被ホルダ３、ホルダ４、およびマグネット５を有している。
【０００４】
扉２は、中空体からなり、中空部２１に連通する取付孔２２が形成されている。取付孔２２は、上縁部に係止部２２ａが形成されている。
被ホルダ３は、上面側が開放された中空の箱型をなし、側面の上面側には側面より外側方向に延設された鍔部３１が形成され、互いに対向する側面３２には突起型（雄型）の被係止部３３が形成されている。そして、中空部３４にマグネット５が収容される。
ホルダ４は、被ホルダの底面部および側面部で形成された鍔部３１を除く箱型状部を収容する収容領域を形成する基底部４１、一対の弾性片４２ａ，４２ｂ、被係止部３３が係止される長孔状（雌型）の係止部４３ａ，４３ｂが形成された側片４４ａ，４４ｂを有すする。
【０００５】
このような構造において、まず、被ホルダ３の箱型状部をホルダ４の収容領域に収容して被係止部３３を係止部４３ａ，４３ｂに対してホルダ４の内壁側から挿入して収容させ、この収容状態で、ホルダ４の側片４４ａ，４４ｂの外側に露出した被係止部３３を折り曲げて、被係止部３３が係止部４３ａ，４３ｂから抜けないようにセットする。
この状態で、被取付部として扉２に形成された取付孔２２にホルダ４の基底部４１側から収容させる。このとき、ホルダ４の弾性片４２ａ，４２ｂに弾性力に抗する力を取付部から印加させる。
そして、被ホルダ３の鍔部３１が被取付部としての扉２の表面に当接したときに、弾性力に抗する力が解放され、弾性片４２ａ，４２ｂの先端部が被取付部としての扉２の内壁に当接する。
これにより、図１１に示すように、取付装置１において、ホルダ４に保持された被ホルダ３を扉２に取り付けることができる。
【０００６】
【特許文献１】実願昭４８−１１７１３９号のマイクロフィルム（実開昭５０−６３７４１号公報）
【発明の開示】
【発明が解決しようとする課題】
【０００７】
ところで、特許文献１に記載された取付装置１は、ホルダ４に保持された被ホルダ３を扉２に比較的に容易に取り付けることができるが、以下のような不利益がある。
【０００８】
ホルダ４に被ホルダ３を保持させる際に、被係止部３３を係止部４３ａ，４３ｂに対してホルダ４の内壁側から挿入して収容させ、この収容状態で、ホルダ４の側片４４ａ，４４ｂの外側に露出した被係止部３３を折り曲げて、被係止部３３が係止部４３ａ，４３ｂから抜けないようにセットする必要があり、係止状態とするために煩雑な手間を要する。
また、ホルダ４の側片４４ａ，４４ｂの外側に露出した被係止部３３を折り曲げていることから、ホルダ４の側片部に段差が生じてしまう。この段差部は、扉２の取付孔２２にホルダ３を挿入していく際に、取付孔２２の周縁部に引っ掛かり、スムーズに取り付けを行うことを妨げ、これを回避するために被係止部による段差部が取付孔２２の周縁部に引っ掛からないように注意しながら挿入する必要があり、極めて簡単にワンタッチで取り付けることが困難である。
【０００９】
本発明は、かかる事情に鑑みてなされたものであり、その目的は、煩雑な手間を要することなく、極めて簡単にワンタッチで取り付けることが可能なホルダおよび取付装置を提供することにある。
【課題を解決するための手段】
【００１０】
上記目的を達成するため、本発明の第１の観点は、矩形をなす基底部と、上記基底部の互いに対向する側部から延設されて当該基底部と共に被ホルダの収容領域を形成する少なくとも２つの側片と、上記被ホルダと係止する係止部と、を有し、上記少なくとも２つの側片は、弾性力を有し、当該弾性力に抗する力を受けて上記収容領域側に移動可能な弾性片を含み、上記係止部は、上記被ホルダとの係止領域が、上記側片の外側の領域を除く領域に位置するように形成されている。
【００１１】
好適には、上記係止部は、上記基底部に形成されている。
【００１２】
好適には、上記弾性片を含む２つの第１側片が形成された側部と異なる側部から延設されて上記基底部と共に被ホルダの収容領域を形成する少なくとも一つの側片をさらに有する。
【００１３】
好適には、上記少なくとも一つの側片は、上記被ホルダの外側の残存部を回避可能な回避部が形成され、厚さが当該残存部の高さ以上に設定されている。
【００１４】
好適には、上記弾性片は、上記少なくとも２つの側片の先端部に形成されている。
【００１５】
本発明の第２の観点は、側面部および底面部と、当該側面部および底面部のいずれかに被係止部が形成された被ホルダと、上記被ホルダを保持するホルダと、を有し、上記ホルダは、上記被ホルダの被係止部と係止する係止部と、上記係止部が上記被ホルダの被係止部と係止状態にあるときに、上記被ホルダの側面と少なくとも一部が所定間隔をもって対向し、弾性力に抗する力を受けると上記被ホルダの側面側に移動可能な弾性片を含む少なくとも２つの第１側片と、を有し、上記ホルダの係止部および被ホルダの被係止部は、係止状態において、上記ホルダの側片の外側の領域を除く領域に位置するように形成されている。
【００１６】
好適には、上記ホルダは、上記被ホルダの収容時に、当該被ホルダの底面部と対面する基底部を有し、上記係止部は、上記基底部に形成され、上記被ホルダの被係止部は、上記被ホルダの底面部に形成されている。
【００１７】
好適には、上記被ホルダは、側面部において、外側に一部を所定の高さをもって残存させた残存部を有して内方に貫挿する軸により取り付けられた取り付け具を有し、上記ホルダは、上記係止部が上記被ホルダの被係止部と係止状態にあるときに、上記被ホルダの残存部を有す側面部の少なくとも上記残存部を除く領域に位置し、かつ、厚さが当該残存部の高さ以上に設定された第２側片を有する。
【００１８】
好適には、上記ホルダの第２側片は、上記被ホルダの外側の残存部を回避可能な回避部が形成されている。
【００１９】
好適には、当該取付装置が取り付けられる被取付部には、上記第１側片に弾性力に抗する力を加えたときの当該第１側片の厚さを含む上記ホルダの幅と同等の幅を有する取付孔が形成され、上記被ホルダは、上記側面部における頂面側に当該側面部より外側方向に延びる鍔部が形成され、上記ホルダの弾性片は、少なくとも上記第１側片の先端部に、徐々に上記側面部より外側方向に向くようにテーパ状をなし、かつ上記ホルダの係止部と上記被ホルダの被係止部とが係止状態にあるときで当該弾性片に弾性力に抗する力を加えていないときに、当該先端部と上記鍔部とが上記被取付部の肉厚に相当する間隔をもって離間し、上記ホルダの係止部と上記被ホルダの被係止部とを係止状態として、上記被取付部に形成された取付孔に上記被ホルダの底面側から収容させるときに、上記弾性片に弾性力に抗する力を上記被取付部から印加させ、上記鍔部が上記被取付部に当接したときに、当該弾性力に抗する力が解放され、上記弾性片の先端部が上記被取付部の内壁または上記取付孔の周縁部に当接するように形成されている。
【００２０】
好適には、当該取付装置が取り付けられる被取付部には、上記第１側片に弾性力に抗する力を加えたときの当該第１側片の厚さを含む上記ホルダの幅と同等の第１幅と上記第２側片の厚さを含む上記ホルダの幅と同等の第２幅を有する取付孔が形成され、上記被ホルダは、上記側面部における頂面側に当該側面部より外側方向に延びる鍔部が形成され、上記ホルダの弾性片は、少なくとも上記第１側片の先端部に、徐々に上記側面部より外側方向に向くようにテーパ状をなし、かつ上記ホルダの係止部と上記被ホルダの被係止部とが係止状態にあるときで当該弾性片に弾性力に抗する力を加えていないときに、当該先端部と上記鍔部とが上記被取付部の肉厚に相当する間隔をもって離間し、上記ホルダの係止部と上記被ホルダの被係止部とを係止状態として、上記被取付部に形成された取付孔に上記被ホルダの底面側から収容させるときに、上記弾性片に弾性力に抗する力を上記被取付部から印加させ、上記鍔部が上記被取付部に当接したときに、当該弾性力に抗する力が解放され、上記弾性片の先端部が上記被取付部の内壁または上記取付孔の周縁部に当接するように形成されている。
【発明の効果】
【００２１】
本発明によれば、煩雑な手間を要することなく、極めて簡単にワンタッチで取り付けることができる利点がある。
【発明を実施するための最良の形態】
【００２２】
以下、本発明の実施形態を添付図面に関連付けて説明する。
【００２３】
図１（Ａ），（Ｂ）は、本発明に係る取付装置の一実施形態を示す斜視図であって、図１（Ａ）は取付装置の正面側からの斜視図、図１（Ｂ）は取付装置の背面側からの斜視図である。
【００２４】
本実施形態に係る取付装置１００は、図１（Ａ）および（Ｂ）に示すように、ホルダ１１０、および被ホルダ１２０を主構成要素として有している。
【００２５】
ホルダ１１０は、被ホルダ１２０を収容領域に収容して互いに係止状態を保持する機構を有し、被ホルダ１２０はワンタッチで保持する。
【００２６】
図２（Ａ）〜（Ｄ）は、本実施形態に係るホルダ１１０の具体的な構成を説明するための図であって、図２（Ａ）は切欠側断面図、図２（Ｂ）は第２側片側から見た一部切欠断側面図、図２（Ｃ）は第１側片側から見た側面図、図２（Ｄ）は正面図である。
【００２７】
ホルダ１１０は、図１（Ａ），（Ｂ）、並びに図２（Ａ）〜（Ｄ）に示すように、矩形をなす基底部１１１と、基底部１１１に形成され被ホルダ１２０の被係止部１２３ａと係止するフック状に２つの係止部１１２ａ，１１２ｂと、係止部１１２ａ，１１２ｂが被ホルダ１２０の被係止部１２３ａと係止状態にあるときに、被ホルダ１２０の側面と少なくとも一部が所定間隔をもって対向し、弾性力に抗する力を受けると被ホルダ１２０の側面側に移動可能な弾性片からなる（または含む）２つの第１側片１１３ａ，１１３ｂと、係止部１１２ａ，１１２ｂが被ホルダ１２０の被係止部１２３ａと係止状態にあるときに、被ホルダ１２０の残存部（露出部）を有す側面部の残存部を除く領域に位置し、かつ、厚さが残存部の高さまたはそれ以上に設定された第２側片１１４ａ，１１４ｂを有する。
また、ホルダ１１０の第２側片１１４ａ，１１４ｂには、被ホルダ１２０の外側の残存部（軸の端部）を回避可能に切り欠かれた回避部１１５ａ，１１５ｂが形成されている。  そして、基底部１１１、第１側片１１３ａ，１１３ｂ、および第２側片１１４ａ，１１４ｂにより被ホルダ１２０の収容領域が形成される。
また、ホルダ１１０の係止部１１２ａ，１１２ｂと被ホルダ１２０の被係止部１２３ａとの係止状態にある領域により被ホルダとの係止領域が形成される。
【００２８】
係止部１１２ａ，１１２ｂは、弾性を有し、頂上部から外側に向けて傾斜する傾斜部１１２１ａ，１１２２ａが形成され、傾斜部１１２１ａ，１１２２ａに被ホルダ１２０の被係止部に係止するフック部１１２１ｂ，１１２２ｂが形成されている。
係止部１１２ａ，１１２ｂは、後述するように係止孔として形成される被ホルダ１２０の被係止部の周縁部を傾斜部１１２１ａ，１１２２ａが摺接して、やがてフック部１１２２ａ，１１２２ｂが被ホルダ１２０の被係止部の周縁部に係止する。
【００２９】
ホルダ１１０の弾性片は、第１側片１１３ａ，１１３ｂの先端部に、徐々に側面部より外側方向（基底部１１１の縁部より外側）に向くようにテーパ状をなし、かつホルダ１１０の係止部１１２ａ，１１２ｂと被ホルダ１２０の被係止部１２３ａとが係止状態にあるときで弾性片に弾性力に抗する力を加えていないときに、先端部と被ホルダ１２０鍔部とが被取付部の肉厚に相当する間隔をもって離間し、ホルダ１１０の係止部１１２ａ，１１２ｂと被ホルダ１２０の被係止部１２３ａとを係止状態として、被取付部に形成された取付孔にホルダ１１０の基底部１１１側から収容させるときに、弾性片に弾性力に抗する力を被取付部から印加させ、鍔部が被取付部に当接したときに、弾性力に抗する力が解放され、弾性片の先端部が被取付部の内壁あるいは被取付部の周縁部に当接するように形成されている。
本実施形態においては、弾性片の先端部は肉厚を厚くし、かつ、先端がテーパ状にカットしてある。これにより、ホルダ１１０と被取付部の取付孔とのサイズに若干（0.数mm）程度の違いがあっても、先端のテーパ部と被取付部の内壁あるいは被取付部の周縁部が当接することが可能となっている。
【００３０】
被ホルダ１２０は、上面側が開放された中空の箱型をなし、４つの側面１２１ａ，１２１ｂ，１２１ｃ，１２１ｄのうち互いに対向する２つの側面１２１ａ，１２１ｂの上面側には側面より外側方向に延設された鍔部１２２ａ，１２２ｂが形成されている。
被ホルダ１２０の残りの対外に対向する側面１２２ｃ，１２２ｄには、取り付け具としての止着具１３０の回転軸１３１の端部が露出するように残存された残存部１３１ａ，（１３１ｂ）が所定の高さをもって配置されている。なお、これら残存部１３１ａ，（１３１ｂ）は軸１３１の固定のためのものである。
上述したように、ホルダ１１０の第２側片１１４ａ，１１４ｂは、その厚さが残存部１３１ａ，（１３１ｂ）の高さ以上に設定され、かつ、回避部１１５ａ，１１５ｂにより残存部１３１ａ，（１３１ｂ）を残して囲み、残りの領域は、側面１２２ｃ，１２２ｄを略全域にわたって被覆するように形成されている。
したがって、被ホルダ１２０をホルダ１１０に保持させると、回避部１１５ａ，１１５ｂを除いて略平坦な面が形成される。
【００３１】
被ホルダ１２０の底面部１２３には、矩形状をなす係止孔からなる被係止部１２３ａが形成されている。
この被係止部１２３ａは、ホルダ１１０の基底部１１１に形成された係止部１１２ａ，１１２ｂの傾斜部１１２１ａ，１１２２ａが摺接して、やがて係止部１１２ａ，１１２ｂのフック部１１２１ｂ，１１２２ｂが被ホルダ１２０の被係止部１２３ａの周縁部に係止する。
【００３２】
止着具１３０は、その回転軸１３１により軸支される軸部が中空部１２４に位置するように、被ホルダ１２０に取り付けられている。
【００３３】
図３は、本実施形態に係る止着具１３０の具体的な構成を示す分解斜視図である。
図３に示すように、止着具１３０は、図示しない凸型の被止着部を挟持するように保持するための一対のロール１３２，１３３と、ロール１３２，１３３を収容できる高さを持つように略Ｗ字型をなし互いに対称形のロール支持体１３４，１３５と、コイルバネ１３６と、ロール１３２，１３３を回転可能に軸支する回転軸１３７，１３８と、上述した残存部１３１ａ，１３１ｂが形成された軸１３１とを有する。
【００３４】
ロール１３２，１３３には、回転軸孔１３２ａ、１３３ａが形成されている。
ロール支持体１３４の一端部には、ロール用軸孔１３４１ａ，１３４１ｂが形成され、他端部に軸１３１が挿通される軸孔１３４２ａ，１３４２ｂが形成されている。
ロール支持体１３５の一端部には、ロール用軸孔１３５１ａ，１３５１ｂが形成され、他端部に軸１３１が挿通される軸孔１３５２ａ，１３５２ｂが形成されている。
【００３５】
そして、ロール１３２は、ロール支持体１３４の一端部に回転軸孔１３２ａが、ロール用軸孔１３４１ａ，１３４１ｂと略連通するように配置されて、回転軸１３７により回転可能に軸支される。
同様に、ロール１３３は、ロール支持体１３５の一端部に回転軸孔１３３ａが、ロール用軸孔１３５１ａ，１３５１ｂと略連通するように配置されて、回転軸１３８により回転可能に軸支される。
また、ロール支持体１３４の軸孔１３４２ａ，１３４２ｂとロール支持体１３５の軸孔１３５２ａ，１３５２ｂとが略連通し、かつその間にコイルバネ１３６のコイル軸１３６ａがこれら軸孔と略連通するように配置され、軸１３１が被ホルダ１２０の側面１２１ｃの外側から側面１２１ｄの外側に向かって挿通されて、ロール支持体１３４，１３５が他端部を中心に回転可能に構成される。
このとき、図４に示すように、コイルバネ１３６の一端部１３６ｂがロール支持体１３４の他端部（並びに、被ホルダ１２０の側面１２１ａの内壁）に当接し、他端部１３６ｃがロール支持体１３５の他端部（並びに、被ホルダ１２０の側面１２１ｂの内壁）に当接するように取り付けされる。
これにより、ロール支持体１３４，１３５は、他端部が互いに離れるような方向に弾性力を受け、その結果、コイルバネ１３６により先端部が互いに近づく方向に弾性力を受けて、ロール１３２とロール１３３とが常時当接状態を保持するように構成される。
【００３６】
また、図５に示すように、上述したような取付装置１００が取り付けられる扉等の被取付部２００には、ホルダ１１０第１側片１１３ａ，１１３ｂに弾性力に抗する力を加えたときの、第１側片１１３ａ，１１３ｂの厚さを含むホルダ１１０の幅と同等の第１幅ＷＤ１と第２側片１１４ａ，１１４ｂの厚さを含むホルダ１１０の幅と同等の第２幅ＷＤ２を有する取付孔２０１が形成されている。
【００３７】
このような構造において、まず、被ホルダ１２０の箱型状部をホルダ１１０の収容領域に収容して被ホルダ１２０の底面部１２３に形成された係止孔からなる被係止部３３に、ホルダ１１０の基底部１１１に形成された係止部１１２ａ，１１２ｂ対して係止させる。
このとき、被ホルダ１２０の被係止部１２３ａに対しては、ホルダ１１０の基底部１１１に形成された係止部１１２ａ，１１２ｂの傾斜部１１２１ａ，１１２２ａが摺接して、やがて係止部１１２ａ，１１２ｂのフック部１１２１ｂ，１１２２ｂが被ホルダ１２０の被係止部１２３ａの周縁部に係止する。
すなわち、本実施形態においては、被ホルダ１２０の箱型状部をホルダ１１０の収容領域に収容して、さらに基底部１１１まで押し込むようにするのみで、極めて簡単に被係止部１２３ａがホルダ１１０の係止部１１２ａ，１１２ｂに係止されて、ワンタッチで被ホルダ１２０をホルダ１１０に保持させることができる。
この場合、被ホルダ１２０の側面１２１ｃ，１２１ｄの外側には、残存部（露出部）１３１ａ，１３１ｂが残存し、ある高さをもった段差が形成されるが、ホルダ１１０の第２側片１１４ａ，１１４ｂは、その厚さが残存部１３１ａ，（１３１ｂ）の高さ以上に設定され、かつ、回避部１１５ａ，１１５ｂにより残存部１３１ａ，（１３１ｂ）を残して囲み、残りの領域は、側面１２２ｃ，１１２ｄを略全域にわたって被覆するように形成されている。
したがって、被ホルダ１２０をホルダ１１０に保持させると、回避部１１５ａ，１１５ｂを除いて略平坦な面が形成される。
【００３８】
このように保持状態にあるホルダ１１０および被ホルダ１２０の状態を図６（Ａ），（Ｂ）、並びに、図７（Ａ）〜（Ｄ）に示す。
図６（Ａ）は、被ホルダ１２０をホルダ１１０に保持させた状態を正面側から見た斜視図、図６（Ｂ）は、被ホルダ１２０をホルダ１１０に保持させた状態を背面側から見た斜視図である。
また、図７（Ａ）は、被ホルダ１２０をホルダ１１０に保持させた状態を示す上面図、、図７（Ｂ）は、被ホルダ１２０をホルダ１１０に保持させた状態を示す側面図、図７（Ｃ）は、被ホルダ１２０をホルダ１１０に保持させた状態を示す正面図、図７（Ｄ）は、被ホルダ１２０をホルダ１１０に保持させた状態を示す背面図である。
【００３９】
この状態で、被取付部２００に形成された取付孔２０１に、図８（Ａ）に示すように、ホルダ１１０４の基底部１１１側から収容させる。
本実施形態おいて、ホルダ１１０の弾性片は、第１側片１１３ａ，１１３ｂの先端部に、徐々に側面部より外側方向（基底部１１１の縁部より外側）に向くようにテーパ状をなし、かつホルダ１１０の係止部１１２ａ，１１２ｂと被ホルダ１２０の被係止とが係止状態にあるときで弾性片に弾性力に抗する力を加えていないときに、先端部と被ホルダ１２０鍔部とが被取付部の肉厚に相当する間隔をもって離間するにように形成されている。
したがって、ホルダ１１０の係止部１１２ａ，１１２ｂと被ホルダ１２０の被係止部１２３ａとを係止状態として、被取付部２００に形成された取付孔２０１にホルダ１１０の基底部１１１側から収容させるときに、図８（Ｂ）に示すように、弾性片に弾性力に抗する力を被取付部２００から印加され、被ホルダ１２０の鍔部１２２ａ，１２２ｂが被取付部２００の表面に当接したときに、弾性力に抗する力が解放され、弾性片１１３ａ，１１３ｂの先端部が被取付部２００の内壁または取付孔２０１の周縁部に当接する。
これにより、図８（Ｂ），（Ｃ）に示すように、取付装置１００において、ホルダ１１０に保持された被ホルダ１２０を扉等の被取付部２００に、煩雑な手間を要することなく、極めて簡単にワンタッチで取り付けることができる。
【００４０】
以上説明したように、本実施形態によれば、ホルダ１１０が、矩形をなす基底部１１１と、基底部１１１に形成され被ホルダ１２０の被係止部と係止するフック状に２つの係止部１１２ａ，１１２ｂと、係止部１１２ａ，１１２ｂが被ホルダ１２０の被係止部と係止状態にあるときに、被ホルダ１２０の側面と少なくとも一部が所定間隔をもって対向し、弾性力に抗する力を受けると被ホルダ１２０の側面側に移動可能な弾性片を含む２つの第１側片１１３ａ，１１３ｂと、係止部１１２ａ，１１２ｂが被ホルダ１２０の被係止部と係止状態にあるときに、被ホルダ１２０の残存部（露出部）を有す側面部の残存部を除く領域に位置し、かつ、厚さが残存部の高さまたはそれ以上に設定された第２側片１１４ａ，１１４ｂを有することから、煩雑な手間を要することなく、極めて簡単にワンタッチで取り付けることができる利点がある。
【００４１】
また、本実施形態においては、弾性片の先端部は肉厚を厚くし、かつ、先端がテーパ状にカットしてあることから、図９（Ａ）〜（Ｃ）に示すように、ホルダ１１０と被取付部の取付孔とのサイズに若干（0.数mm）程度の違いがあっても、先端のテーパ部と被取付部の内壁あるいは被取付部の周縁部が当接することが可能であり、汎用性が高いという利点がある。
【００４２】
また、本実施形態においては、係止部１１２ａ，１１２ｂをホルダの基底部１１１に形成し、被係止部１２３ａを被ホルダ１２０の底面部１２３に配置するように構成したが、配置位置はこれに限定されるものではなく、係止部と被係止部とが係止状態にあるときに、この係止領域がホルダ１１０の側面側に突出した状態にならない位置なら良く、被ホルダ１２０の側面に係止孔を形成し、これに係止する係止片をホルダ１１０に設ける等、種々の態様が可能である。
【図面の簡単な説明】
【００４３】
【図１】本発明に係る取付装置の一実施形態を示す斜視図であって、（Ａ）は取付装置の正面側からの斜視図、（Ｂ）は取付装置の背面側からの斜視図である。
【図２】本実施形態に係るホルダの具体的な構成を説明するための図であって、（Ａ）は切欠側断面図、（Ｂ）は第２側片側から見た一部切欠断側面図、（Ｃ）は第１側片側から見た側面図、（Ｄ）は正面図である。
【図３】本実施形態に係る止着具の具体的な構成を示す分解斜視図である。
【図４】本発明に係る取付装置の一実施形態を示す図である。
【図５】本実施形態に係る被取付部を説明するための図である。
【図６】保持状態にあるホルダおよび被ホルダの状態を示す図で、（Ａ）は被ホルダをホルダに保持させた状態を正面側から見た斜視図、（Ｂ）は被ホルダをホルダに保持させた状態を背面側から見た斜視図である。
【図７】保持状態にあるホルダおよび被ホルダの状態を示す図で、（Ａ）は被ホルダをホルダに保持させた状態を示す上面図、（Ｂ）は被ホルダをホルダに保持させた状態を示す側面図、（Ｃ）は被ホルダをホルダに保持させた状態を示す正面図、（Ｄ）は被ホルダをホルダに保持させた状態を示す背面図である。
【図８】保持状態にあるホルダおよび被ホルダを被取付部に取り付ける工程を説明するための図である。
【図９】本実施形態の弾性片の構成例および効果を説明するための図である。
【図１０】特許文献１に記載された扉へのマグネットの取付構造を示す図である。
【図１１】扉へのマグネットの取付構造の取り付け状態を示す図である。
【符号の説明】
【００４４】
１００…取付装置、１１０…ホルダ、１１１…基底部、１１２ａ，１１２ｂ…係止部、１１３ａ，１１３ｂ…第１側片、１１４ａ，１１４ｂ…第２側片、１１５ａ，１１５ｂ…回避部、１２０…被ホルダ、１２１ａ〜１２１ｃ…側面、１２２ａ，１２２ｂ…鍔部、１２３…底面部、１２３ａ…被係止部、１３０…止着具、２００…被取付部、２０１…取付孔。
【図１】
2006002391.tif 000003
【図２】
2006002391.tif 000004
【図３】
2006002391.tif 000005
【図４】
2006002391.tif 000006
【図５】
2006002391.tif 000007
【図６】
2006002391.tif 000008
【図７】
2006002391.tif 000009
【図８】
2006002391.tif 000010
【図９】
2006002391.tif 000011
【図１０】
2006002391.tif 000012
【図１１】
2006002391.tif 000013